(57)【要約】【課題】支持部材と回動部材との連結部分におけるねじ頭の突出を抑え、連結作業が簡単で効率よく作業を行うことができ、支持部材に対する回動部材の回動を妨げることなく適切に連結することが可能な回動部材の支持構造を提供すること。【解決手段】回動部材２と支持部材３とが少なくとも２箇所において回動自在に連結される回動部材の支持構造。少なくとも２箇所は、一方が第１の連結軸５により、他方が第２の連結軸２ｃにより、それぞれ連結され、第１の連結軸５は、ねじ部が支持部材或いは回動部材の一方にねじ止めされて、中間軸部が回動部材と支持部材との間に配置されると共に、挿通軸部が支持部材或いは回動部材の他方に形成された第１の係合部に挿通され、第２の連結軸２ｃは、一端が支持部材或いは回動部材の一方に固定され、他端が支持部材或いは回動部材の他方に形成された第２の係合部に挿通される。【選択図】      図１
2005067240.tif 000002
【特許請求の範囲】
【請求項１】
回動部材と支持部材とを少なくとも２箇所において回動自在に連結して前記支持部材により支持する回動部材の支持構造であって、
前記少なくとも２箇所は、一方が第１の連結軸により、他方が第２の連結軸により、それぞれ連結され、
前記第１の連結軸は、ねじ部と、中間軸部と、挿通軸部とを有し、前記ねじ部が前記支持部材或いは前記回動部材の一方にねじ止めされて、前記中間軸部が前記回動部材と前記支持部材との間に配置されると共に、前記挿通軸部が前記支持部材或いは前記回動部材の他方に形成された第１の係合部に挿通され、
前記第２の連結軸は、一端が前記支持部材或いは前記回動部材の一方に固定され、他端が前記支持部材或いは前記回動部材の他方に形成された第２の係合部に挿通される
ことを特徴とする回動部材の支持構造。
【請求項２】
前記第１の連結軸は、前記中間軸部と挿通軸部との間に、前記中間軸部から前記挿通軸部に向かって直線状或いは曲線状に細径化する傾斜部が形成されていることを特徴とする請求項１に記載の回動部材の支持構造。
【発明の詳細な説明】
【０００１】
【発明の属する技術分野】
この発明は、回動部材の支持構造に関するものである。
【０００２】
【従来の技術】
回動部材を支持部材によって回動自在に支持する回動部材の支持構造として、例えば、車載用ディスプレイ装置においては、水平方向に引き出されるスライダが本体に設けられ、ディスプレイパネルの下部両側をスライダ先端と連結することでスライダによってディスプレイパネルを回動自在に支持し、上部両側のガイド軸を前記本体前部の両側側面に形成したガイド溝に嵌合させるものがある（例えば、特許文献１参照。）。これにより、前記車載用ディスプレイ装置においては、前記ディスプレイパネルがガイド溝とスライダとに案内されて、下部側から傾倒させて本体の前方へ引き出される。この場合、車載用ディスプレイ装置は、仕様によっては、ディスプレイパネルとスライダ先端とをねじによって回動自在に連結するものがある。
【０００３】
【特許文献１】
特開２００３−５４３２２号公報
【０００４】
【発明が解決しようとする課題】
ところで、近年、車載用ディスプレイ装置は、見易さの点からディスプレイパネルの大型化が望まれている。しかし、車載用ディスプレイ装置は、軽量化の点では装置全体の大きさが従来通りに抑えられており、ディスプレイパネルとスライダとの連結部分でねじ頭が突出する分、外形が大きくなってしまうという問題があった。また、ディスプレイパネルとスライダとをねじを用いて連結する場合、ねじ止め作業のためにディスプレイパネルの左側を上向きにしたり、右側を上向きにしたりすることからディスプレイパネルをハンドリングする装置が大型となり、連結作業の効率が低下するという問題があった。
【０００５】
この発明は、上述した従来技術による問題点を解消するため、支持部材と回動部材との連結部分におけるねじ頭の突出を抑え、連結作業が簡単で効率よく作業を行うことができ、支持部材に対する回動部材の回動を妨げることなく適切に連結することが可能な回動部材の支持構造を提供することを目的とする。
【０００６】
【課題を解決するための手段】
上述した課題を解決し、目的を達成するため、請求項１の発明に係る回動部材の支持構造は、回動部材と支持部材とを少なくとも２箇所において回動自在に連結して前記支持部材により支持する回動部材の支持構造であって、前記少なくとも２箇所は、一方が第１の連結軸により、他方が第２の連結軸により、それぞれ連結され、前記第１の連結軸は、ねじ部と、中間軸部と、挿通軸部とを有し、前記ねじ部が前記支持部材或いは前記回動部材の一方にねじ止めされて、前記中間軸部が前記回動部材と前記支持部材との間に配置されると共に、前記挿通軸部が前記支持部材或いは前記回動部材の他方に形成された第１の係合部に挿通され、前記第２の連結軸は、一端が前記支持部材或いは前記回動部材の一方に固定され、他端が前記支持部材或いは前記回動部材の他方に形成された第２の係合部に挿通されることを特徴とする。
【０００７】
請求項１の発明によれば、回動部材と支持部材とを回動自在に連結する少なくとも２箇所の一方を第１の連結軸により、他方を第２の連結軸により、それぞれ連結することで、連結部分におけるねじ頭の突出を抑え、連結作業が簡単で効率よく作業ができ、支持部材に対する回動部材の回動を妨げることなく適切に連結するようにしている。
【０００８】
また、請求項２の発明に係る回動部材の支持構造は、上記の発明において、前記第１の連結軸は、前記中間軸部と挿通軸部との間に、前記中間軸部から前記挿通軸部に向かって直線状或いは曲線状に細径化する傾斜部が形成されていることを特徴とする。
【０００９】
請求項２の発明によれば、第１の連結軸を回動部材或いは支持部材と線接触させて回動の際の摩擦を低減すると共に、回動部材のガタ付きを抑えるようにしている。
【００１０】
【発明の実施の形態】
以下、図面を参照して、この発明に係る回動部材の支持構造の好適な実施の形態について説明する。
【００１１】
（実施の形態１）
まず、この発明の回動部材の支持構造に係る実施の形態１について説明する。図１は、この発明の実施の形態１である回動部材の支持構造として車載用ディスプレイ装置（以下、「ディスプレイ装置」という）のディスプレイパネルをスライダによって回動自在に支持する支持構造を示す正面図である。図２は、図１のＡ部における側面図である。図３は、図１のＡ部における拡大断面正面図である。図４は、図１のＢ部における拡大断面正面図である。ディスプレイ装置１は、内部にＣＤ，ＭＤ，ＤＶＤ等の記録媒体を再生するための種々の電子装置を用いたユニットを配置して組み立てられる本体（図示せず）を有しており、自動車等の車両において、ダッシュボードやインストルメントパネル等の取付部材に組み付けられる。そして、ディスプレイ装置１は、ディスプレイパネル２両側下部の２点においてスライダ３によって回動自在に支持され、ディスプレイパネル２の上部両側に設けられるベアリング（図示せず）が前記本体前部の両側側面に形成したガイド溝に係合される。
【００１２】
ディスプレイパネル２は、液晶パネル等からなる可動パネルで、前記本体の両側に形成されたガイド溝とスライダ３とに案内されて、下部側から傾倒させて前記本体の前方へ引き出される。ディスプレイパネル２は、両側下部にスライダ３の先端と連結する連結部２ａが側方へ突出させて設けられている。このとき、右側の連結部２ａは、係合孔２ｂ（図３参照）が形成され、左側の連結部２ａには、第２連結軸２ｃ（図４参照）が突設されている。
【００１３】
スライダ３は、ディスプレイパネル２の両側に配置され、図２に矢印で示すように、前記本体に水平方向へスライド自在に支持されている。このとき、ディスプレイパネル２の右側に配置される一方のスライダ３は、先端にねじ孔３ａ（図３参照）が形成され、ねじ孔３ａにねじ止めされる第１連結軸５によって連結部２ａに回動自在に連結されている。また、ディスプレイパネル２の左側に配置される他方のスライダ３は、先端に係合孔３ｂ（図４参照）が形成され、ディスプレイパネル２に突設された第２連結軸２ｃが係合している。これにより、左右２つのスライダ３は、ディスプレイパネル２を回動自在に支持している。
【００１４】
第１連結軸５は、図３に示すように、軸方向に沿って頭部５ａ、ねじ部５ｂ、中間軸部５ｃ及び挿通軸部５ｄを有している。頭部５ａは、中央に十字穴が設けられ、ねじ部５ｂに隣接して形成されている。ねじ部５ｂは、頭部５ａと中間軸部５ｃとの間に形成され、スライダ３先端の係合孔３ｂに螺着される。中間軸部５ｃは、ねじ部５ｂと挿通軸部５ｄとの間に形成され、スライダ３とディスプレイパネル２の連結部２ａとの間に配置される。挿通軸部５ｄは、第１連結軸５の端部に形成され、連結部２ａの係合孔２ｂに挿通される。
【００１５】
この実施の形態１における回動部材の支持構造は、例えば、図５に示すディスプレイ装置１に適用される。図５に示すディスプレイ装置１においては、ディスプレイパネル２の両側に配置される２つのスライダ３は、それぞれディスプレイパネル２両側に設けられる連結部（図示せず）と連結されて本体８の両側に引き出し自在に配置されている。また、下部が２つのスライダ３によって支持されるディスプレイパネル２は、上部両側に設けたベアリング２ｄ（一方のみ図示）を本体８の前面に取り付けられるフレーム８ａに形成されたガイド溝８ｂに係合させることで、ガイド溝８ｂとスライダ３とに案内されて、下部側から傾倒させて本体８の前方へ引き出される。
【００１６】
この実施の形態１における支持構造においては、ディスプレイパネル２右側に配置されるスライダ３のねじ孔３ａをディスプレイパネル２の係合孔２ｂに位置決めし、第１連結軸５のねじ部５ｂをスライダ３の側方からねじ孔３ａに挿通し、ねじ部５ｂをねじ孔３ａに螺合させる。これにより、図３に示すように、係合孔２ｂに挿通軸部５ｄが挿通されると共に、ねじ部５ｂがねじ孔３ａにねじ止めされ、右側のスライダ３とディスプレイパネル２の右側の連結部２ａとが連結される。一方、左側のスライダ３は、ディスプレイパネル２に突設された第２連結軸２ｃを係合孔３ｂに位置決めして挿通することで、図４に示すように、左側のスライダ３とディスプレイパネル２の左側の連結部２ａとが連結される。そして、ディスプレイパネル２は、上部両側のベアリング２ｄがガイド溝８ｂに係合される。この結果、ディスプレイパネル２は、両側に配置される２つのスライダ３によって回動自在に支持される。
【００１７】
このように、実施の形態１の支持構造は、ディスプレイパネル２両側の２箇所をねじによってそれぞれスライダ３と連結する従来のディスプレイ装置と異なり、ディスプレイパネル２両側の２箇所を第１連結軸５及び第２連結軸２ｃで連結している。このため、ディスプレイ装置１は、第１連結軸５の頭部５ａが一方のみに突出するだけであり、回動部材であるディスプレイパネル２と、支持部材であるスライダ３との連結作業が簡単で、スライダ３に対するディスプレイパネル２の回動を妨げることなく適切に連結することができる。
【００１８】
このとき、実施の形態１の支持構造においては、ディスプレイパネル２の右側においては、第１連結軸５は、図３に示すように、挿通軸部５ｄが係合孔２ｂに挿通され、ねじ部５ｂがねじ孔３ａにねじ止めされると共に、ディスプレイパネル２とスライダ３との間に中間軸部５ｃが配置され、ねじ部５ｂはスライダ３にねじ止めされることはない。また、ディスプレイパネル２の左側においては、図４に示すように、第２連結軸２ｃが係合孔３ｂに挿通されている。
【００１９】
このため、実施の形態１の支持構造においては、ディスプレイパネル２は、連結部２ａの端面が第１連結軸５の中間軸部５ｃ端面との僅かな部分で面接触しているだけなので、従来の同種のものと比較して接触面積を小さくして、挿通軸部５ｄ及び第２連結軸２ｃを中心としてそれぞれスライダ３に対して円滑に回動することができる。又、接触面積が小さいため、各部材の磨耗を低減できる。この支持構造においては、ディスプレイパネル２は、両側にある連結部２ａの少なくとも一方が第１連結軸５によってスライダ３と連結され、他方は第２連結軸２ｃによってスライダ３と連結されている。従って、ディスプレイ装置１は、ディスプレイパネル２の一方に第１連結軸５の頭部５ａが突出するだけで、他方には頭部５ａが突出しないので、頭部５ａ１つ分だけ外形の大型化を抑えることができる。
【００２０】
以上のように、実施の形態１の支持構造においては、連結部分におけるねじ頭の突出を抑え、ディスプレイパネル２とスライダ３との連結作業が簡単で効率よく作業を行うことができ、スライダ３に対するディスプレイパネル２の回動を妨げることなく適切に連結することができる。
【００２１】
ここで、第１連結軸５は、図６に示すように、中間軸部５ｃと挿通軸部５ｄとの間に中間軸部５ｃから挿通軸部５ｄに向かって直線状に細径化する傾斜部５ｅを形成してもよい。第１連結軸５は、傾斜部５ｅを形成すると、連結部２ａの端面との接触部分が面接触ではなく線接触となってより一層各部材の摩擦を低減することができるうえ、傾斜部５ｅが連結部２ａと常に接触して隙間が生じないので、振動に伴うディスプレイパネル２のガタ付きを抑えることができるという利点がある。この場合、傾斜部５ｅは、中間軸部５ｃから挿通軸部５ｄに向かって曲線状に細径化するように形成してもよい。
【００２２】
（実施の形態２）
次に、この発明の回動部材の支持構造に係る実施の形態２について説明する。図７は、この発明の実施の形態２である回動部材の支持構造としてデスクトップパソコンのディスプレイ装置において、ディスプレイパネルをスタンドによって回動自在に支持する支持構造を示す斜視図である。実施の形態１の支持構造においては、第１連結軸５を支持部材であるスライダ３にねじ止めし、挿通軸部５ｄを回動部材であるディスプレイパネル２の係合孔２ｂに挿通してディスプレイパネル２とスライダ３とを連結した。これに対し、実施の形態２においては、第１連結軸５を回動部材であるディスプレイパネルにねじ止めし、挿通軸部５ｄを支持部材であるスタンド１２の係合穴１２ｃに挿通してディスプレイパネルとスタンドとを回動自在に連結している。
【００２３】
即ち、デスクトップパソコンのディスプレイ装置１０は、図７に示すように、ディスプレイパネル１１がスタンド１２によって回動自在に支持される。ディスプレイパネル１１は、液晶パネル等からなる可動パネルで、裏面にスタンド１２に取り付けるブラケット１１ａ，１１ｃが突設されている。ブラケット１１ａは、第１連結軸５をねじとめするねじ孔１１ｂが形成され、ブラケット１１ｃは、側面から押圧することによってブラケット１１ａ側へ突出する連結軸１１ｄが出没自在に設けられている。スタンド１２は、ディスプレイパネル１１を支持する台で、台座１２ａの上部に設けた支持部１２ｂの両側には、それぞれ係合穴１２ｃ（一方は図示せず）が設けられている。
【００２４】
この実施の形態２における支持構造においては、スタンド１２の支持部１２ｂをブラケット１１ａ，１１ｃの間に配置してねじ孔１１ｂと係合穴１２ｃ並びに連結軸１１ｄと係合穴１２ｃを位置決めする。そして、連結軸１１ｄを側方から押圧して係合穴１２ｃに係合させると共に、ねじ部５ｂをブラケット１１ａのねじ孔１１ｂにねじ止めすると共に、ブラケット１１ａと支持部１１ｂとの間に中間軸部５ｃを配置し、挿通軸部５ｄを係合穴１２ｃに挿通する。これにより、ディスプレイ装置１０は、ディスプレイパネル１１がスタンド１２に回動自在に支持される。
【００２５】
このように、実施の形態２の支持構造においては、第１連結軸５の頭部５ａが一方に突出するだけで、他方には突出しないうえ、回動部材であるディスプレイパネル１１と、支持部材であるスタンド１２との連結作業が簡単で効率良く作業を行うことができ、スタンド１２に対するディスプレイパネル１１の回動を妨げることなく適切に連結することができる。しかも、ディスプレイ装置１０は、第１連結軸５の傾斜部５ｅが係合穴１２ｃが開口する支持部１２ｂの端面と線接触することから、ディスプレイパネル１１が回動する際の摩擦を低減することができるうえ、傾斜部５ｅが支持部１２ｂと常に接触して隙間が生じないので、振動に伴うディスプレイパネル２のガタ付きを抑えることができる。
【００２６】
尚、上記実施の形態１，２における回動部材の支持構造は、車載用ディスプレイ装置やデスクトップパソコンのディスプレイ装置に適用した場合について説明したが、本発明の回動部材の支持構造はこれらに限定されるものではなく、例えば、玩具，ロボットアーム等、回動部材と支持部材が回動自在に連結されるものであれば、どのような支持構造においても使用することができる。
【００２７】
【発明の効果】
以上説明したように、請求項１の発明によれば、回動部材と支持部材とを回動自在に連結する少なくとも２箇所の一方を第１の連結軸により、他方を第２の連結軸により、それぞれ連結したので、連結部分におけるねじ頭の突出を抑え、連結作業が簡単で効率よく作業を行うことができ、支持部材に対する回動部材の回動を妨げることなく適切に連結することができるという効果を奏する。
【００２８】
また、請求項２の発明によれば、第１の連結軸を回動部材或いは支持部材と線接触させて回動の際の摩擦を低減すると共に、回動部材のガタ付きを抑えることができるという効果を奏する。
【図面の簡単な説明】
【図１】この発明の実施の形態１である回動部材の支持構造としてディスプレイ装置のディスプレイパネルをスライダによって回動自在に支持する支持構造を示す正面図である。
【図２】図１のＡ部における側面図である。
【図３】図１のＡ部における拡大断面正面図である。
【図４】図１のＢ部における拡大断面正面図である。
【図５】この発明の実施の形態１である回動部材の支持構造を適用するディスプレイ装置の一例を示す斜視図である。
【図６】第１連結軸の変形例を示す図１のＡ部における拡大断面正面図である。
【図７】この発明の実施の形態２である回動部材の支持構造としてデスクトップパソコンのディスプレイ装置において、ディスプレイパネルをスタンドによって回動自在に支持する支持構造を示す斜視図である。
【符号の説明】
１  ディスプレイ装置
２  ディスプレイパネル
２ａ  連結部
２ｂ  係合孔
２ｃ  第２連結軸
２ｄ  ベアリング
３  スライダ
３ａ  ねじ孔３ａ
３ｂ  係合孔
５  第１連結軸
５ａ  頭部
５ｂ  ねじ部
５ｃ  中間軸部
５ｄ  挿通軸部
５ｅ  傾斜部
８  本体
８ａ  フレーム
８ｂ  ガイド溝
１０  ディスプレイ装置
１１  ディスプレイパネル
１１ａ，１１ｃ  ブラケット
１１ｂ  ねじ孔
１１ｄ  連結軸
１２  スタンド
１２ａ  台座
１２ｂ  支持部
１２ｃ  係合穴
【図１】
2005067240.tif 000003
【図２】
2005067240.tif 000004
【図３】
2005067240.tif 000005
【図４】
2005067240.tif 000006
【図５】
2005067240.tif 000007
【図６】
2005067240.tif 000008
【図７】
2005067240.tif 000009